(57)【要約】【課題】優れた防犯機能を発揮することができ、しかも簡単な構成で通常の施錠と同等に簡単に施錠することができる網戸付サッシを提供する【解決手段】引き違いに装着された内戸２および外戸３と、この外戸３の外側に設けられる網戸４とを具備し、内戸２の縦框２０ａに設けたクレセント５と、外戸３の縦框３０ａに設けたクレセント受け５１とによって施錠可能な網戸付サッシ１において、網戸４は、外戸３の縦框３０ａと対応する縦框４０ａの位置にクレセント受け５２が設けられ、人の侵入を防止する格子が形成され、内戸２のクレセント５は、標準係合位置と拡径係合位置とに係合片５ｂが拡縮可能となされ、標準係合位置で係合片５ｂと外戸３のクレセント受け５１とが係合し、拡径係合位置で係合片５ｂと網戸４のクレセント受け５２とが係合し、この係合状態は、内戸２の縦框２０ａに設けたダイヤルキー６によって固定可能となされたもの。【選択図】  図３
2010053646.tif 000002
【特許請求の範囲】
【請求項１】
引き違いに装着された内戸および外戸と、この外戸の外側に設けられる網戸とを具備し、
内戸の縦框に設けられたクレセントと、外戸の縦框に設けられたクレセント受けとによって施錠可能となされた引き違いサッシにおいて、
網戸は、外戸の縦框と対応する縦框の位置にクレセント受けが設けられるとともに、人の侵入を防止する格子が形成されてなる一方、
内戸のクレセントは、標準係合位置と拡径係合位置とに係合片が拡縮可能となされ、標準係合位置で係合片と外戸のクレセント受けとが係合し、拡径係合位置で係合片と網戸のクレセント受けとが係合し、この係合状態は、内戸の縦框に設けられたダイヤルキーによって固定可能となされたことを特徴とする網戸付サッシ。
【請求項２】
係合片は、クレセントの持ち手を引っ張ると拡径係合位置に拡大し、持ち手を元に戻すと標準係合位置に縮むようになされたものである請求項１記載の網戸付サッシ。
【請求項３】
金属製の網戸が用いられた請求項１または２記載の網戸付サッシ。
【請求項４】
クレセントに最も近い格子の区画に強化ガラスが設けられた請求項１ないし３の何れか１記載の網戸付サッシ。
【請求項５】
クレセントの持ち手が着脱自在となされた請求項１ないし４の何れか１記載の網戸付サッシ。
【発明の詳細な説明】
【技術分野】
【０００１】
本発明は、網戸付の引き違いサッシに関するものである。
【背景技術】
【０００２】
一般に網戸付の引き違いサッシは、網戸に施錠機能が無く、網自体もカッターなどで簡単に切ることができ、網戸本体も簡単に外すことができるため、防犯性に関しては全く考慮されていない。
【０００３】
そこで、従来より、このような網戸付の引き違いサッシに防犯機能を持たせたものとして、施錠可能な網戸を設けたものや( 特許文献１および２参照) 、網戸と外戸との間で施錠し、この施錠した箇所を内戸で被覆して開錠できないようにしたもの( 特許文献３参照) などが提案されている。
【特許文献１】実公昭６２−２２６１１号公報
【特許文献２】特開２００２−８１２６８号公報
【特許文献３】特開２０００−２６５７５９号公報
【発明の開示】
【発明が解決しようとする課題】
【０００４】
しかし、特許文献１および２に開示されているように、施錠可能な網戸を設けた引き違いサッシの場合、網戸を破ることができなかったとしても、網の隙間からＬ字状に曲げた針金などを差し込んで開錠することができるので、有効な防犯機能を発揮できないといった不都合を生じることとなる。
【０００５】
また、特許文献３に開示されているように、内戸で被覆して開錠できないようにした引き違いサッシの場合、網戸と外戸とを施錠してから内戸を開けなければならず、開閉の作業が煩わしくなってしまう。また、機構が複雑化するとともに、操作バーが外戸の内側と内戸の外側との間に位置するので納まりが悪くなってしまう。
【０００６】
本発明は係る実情に鑑みてなされたものであって、優れた防犯機能を発揮することができ、しかも簡単な構成で通常の施錠と同等に簡単に施錠することができる網戸付サッシを提供することを目的としている。
【課題を解決するための手段】
【０００７】
上記課題を解決するための本発明の網戸付サッシは、引き違いに装着された内戸および外戸と、この外戸の外側に設けられる網戸とを具備し、内戸の縦框に設けられたクレセントと、外戸の縦框に設けられたクレセント受けとによって施錠可能となされた引き違いサッシにおいて、網戸は、外戸の縦框と対応する縦框の位置にクレセント受けが設けられるとともに、人の侵入を防止する格子が形成されてなる一方、内戸のクレセントは、標準係合位置と拡径係合位置とに係合片が拡縮可能となされ、標準係合位置で係合片と外戸のクレセント受けとが係合し、拡径係合位置で係合片と網戸のクレセント受けとが係合し、この係合状態は、内戸の縦框に設けられたダイヤルキーによって固定可能となされたものである。
【０００８】
また、上記網戸付サッシにおいて、係合片は、クレセントの持ち手を引っ張ると拡径係合位置に拡大し、持ち手を元に戻すと標準係合位置に縮むようになされたものである。
【０００９】
さらに、上記網戸付サッシにおいて、金属製の網戸が用いられたものである。
【００１０】
さらに、上記網戸付サッシにおいて、クレセントに最も近い格子の区画に強化ガラスが設けられたものである。
【００１１】
さらに、上記網戸付サッシにおいて、クレセントの持ち手が着脱自在となされたものである。
【発明の効果】
【００１２】
以上述べたように、本発明によると、内戸と外戸とを施錠する同じクレセントで内戸と網戸との間を施錠することがでるので、綺麗な納まりで簡単に内戸と網戸とを施錠することができる。また、施錠した網戸には格子を形成しており、しかもダイヤルキーによってクレセントの施錠状態を固定することができるため、網を破られたとしても開錠することを防止して優れた防犯性を得ることができる。
【発明を実施するための最良の形態】
【００１３】
以下、本発明の実施の形態を図面を参照して説明する。
【００１４】
図１は網戸付サッシ１の全体構成の概略を示し、図２および図３は同網戸付サッシ１の使用状態を示している。
【００１５】
すなわち、この網戸付サッシ１は、引き違いに装着された内戸２および外戸３と、この外戸３の外側に設けられる網戸４とを具備し、内戸２の縦框２０ａに設けられたクレセント５と、外戸３の縦框３０ａに設けられたクレセント受け５１とによって施錠可能となされるとともに、このクレセント５と、網戸４の縦框４０ａに設けられたクレセント受け５２とによっても施錠可能となされており、この施錠状態をダイヤルキー６によって固定可能となされている。
【００１６】
内戸２および外戸３は、枠体２０，３０に強化ガラス２１，３１を設けて構成した一般のサッシと同じものを用いることができる。また、これらの内戸２、外戸３および網戸４が納められた枠体（図示省略）についても、通常のサッシと同じものを用いることができる。この内戸２および外戸３の大きさについては、特に限定されるものではなく、各種サイズのものを用いることができる。
【００１７】
内戸２の枠体２０の縦框２０ａには、後述するクレセント５が設けられる。
【００１８】
このクレセント５と対応する外戸３の枠体３０の縦框３０ａには、クレセント５の係合片５ａと係合可能なクレセント受け５１が設けられる。このクレセント受け５１は、一般のサッシと同じものを用いることができる。
【００１９】
網戸４は、外戸３の大きさに対応するように形成された枠体４０内に縦桟４１および横桟４２が設けられて矩形に区画された格子を形成するようになされている。この格子の区画は、人の侵入を防止することができる大きさに形成されている。この網戸４の枠体４０の縦框４０ａには、外戸３の枠体３０の縦框３０ａに設けられたクレセント受け５１と同じ位置にクレセント受け５２が設けられる。このクレセント受け５２は、上記外戸３に設けられるクレセント受け５１と同じものが設けられる。
【００２０】
網戸４に設けられる網４３は、鋼製の番線で形成されたスチールメッシュ材からなるものが使用される。ただし、クレセント受け５２を固定した位置に隣接する網戸４の区画には、内戸２や外戸３と同様に強化ガラス４４が設けられる。
【００２１】
なお、網戸４の格子は、人の侵入を防止することができるものであれば、大きさや形状については特に限定されるものではなく、縦桟４１のみによる縦格子であってもよいし、横桟４２のみによる横格子であってもよいし、その他各種形状に区画された化粧格子であってもよい。
【００２２】
クレセント５は、本体５ａから突出した係合片５ｂが、標準係合位置と、この標準係合位置よりも本体５ａから拡径した位置に突出した拡径係合位置とに拡径したり、縮径したりできるように構成されている。この拡径および縮径は、クレセント５の持ち手５ｃを引っ張ることによって拡径し、元に戻すことによって縮径するように構成されている。そして、係合片５ｂは、標準係合位置で外戸３のクレセント受け５１と係合し、拡大係合位置で網戸４のクレセント受け５２と係合するようになされている。
【００２３】
なお、本実施の形態では、持ち手５ｃを引っ張ったり、元に戻したりすることによって係合片５ｂを標準係合位置と拡大係合位置とに変更するように構成されているが、特にこのような構成には限定されるものではなく、係合片５ｂを直接手で拡縮させて標準係合位置と拡大係合位置とに変更するように構成されたものであってもいし、クレセント５の本体５ａに設けられたボタンスイッチ（図示省略）などを押圧して変更するように構成されたものであってもよい。
【００２４】
ダイヤルキー６は、クレセント５に隣接して内戸２の縦框２０ａに設けられている。このダイヤルキー６は、円周方向に「０」〜「９」までの数字が刻まれており、縦框２０ａに設けられた印６１と、上記した「０」〜「９」までの数字とを合わせることができるようになされている。このダイヤルキー６は、ダイヤルキー６自体を左右に回転させながら、あらかじめ設定された複数の数字に合わせることで、クレセント５による係合状態を解除したり、固定したりすることができるようになされている。
【００２５】
次に、このようにして構成される網戸付サッシ１の使用方法について説明する。
【００２６】
まず、通常のサッシとして内戸２と外戸３とを施錠する場合は、図２に示すように、内戸２と外戸３とを閉めた状態で、図４（ａ）および（ｂ）に示すように、クレセント５を標準係合位置にして回動させる。そして、クレセント５を回動させて、内戸２のクレセント５と外戸３のクレセント受け５１とを係合させる。
【００２７】
係合後、ダイヤルキー６を適当に回転させれば、この係合状態で固定され、開錠できなくなる。したがって、頻繁に開け閉めする場合は、係合状態が固定されないように、ダイヤルキー６を回さなければよい。
【００２８】
ダイヤルキー６でクレセント５を固定した状態から開錠する場合は、あらかじめ設定しておいた数字となるように、ダイヤルキー６の「０」〜「９」までの数字と印６１とを合わせる。この場合、合わせる数字の数は特に限定されるものではないが、１つだけだと簡単に開錠できてしまう。また、数が多すぎると、開錠するのが煩わしくなる。したがって、２個〜４個程度が好ましい。具体的には、例えば右回転で「４」、左回転で「８」、右回転で「５」といった具合で数字を合わせて開錠する。
【００２９】
次に、網戸４で施錠する場合は、まず図３に示すように、外戸３を開けて網戸４を閉めた状態で、図４（ｃ）に示すように、クレセント５を拡径係合位置にして回動させる。そしてクレセント５を回動させて、内戸２のクレセント５と網戸４のクレセント受け５２とを係合させる。
【００３０】
上記と同様に係合後、ダイヤルキー６を適当に回転させれば、この係合状態で固定され、開錠できなくなる。したがって、頻繁に開け閉めする場合は、係合状態が固定されないように、ダイヤルキー６を回さなければよい。開錠する際は、ダイヤルキーの数字を合わせて開錠する。
【００３１】
この網戸付サッシ１の場合、網戸４の網４３としてスチールメッシュ材を使用しているので、破れ難く、仮に破られたとしても網戸４には、縦桟４１および横桟４２による格子を形成しているので、この網戸４から人が直接侵入することはできない。
【００３２】
また、網戸４の網４３を破ってクレセント５を開錠しようとしても、網戸４は、クレセント受け５２を固定した位置に隣接する区画に、強化ガラス４４を設けているので、クレセント５から離れた位置で網４３を破って、この離れた位置からクレセント５の開錠作業をしなければならず、開錠作業を困難にすることができる。そのため、強化ガラス４４を割ってクレセント５を開錠することが考えられるが、この場合は、通常の外戸３のガラス３１を割る場合と同様に音がするので、優れた防犯性が得られる。
【００３３】
さらに、クレセント５は、ダイヤルキー６によって係合状態を固定しているので、クレセント５を開錠しようとしても簡単に開錠することができない。ダイヤルキー６の数字を根気良く合わせるにしても、室内側からでないと数字を見ることができないので優れた防犯性が得られることとなる。
【００３４】
しかも、この網戸４の施錠状態は、網戸４にクレセント受け５２を設け、クレセント５を変更し、このクレセント５の係合状態を固定することができるダイヤルキー６を追加するだけで、従来のサッシと変わらない綺麗な外観の納まりで網戸付サッシ１に網戸４の施錠機能を持たせることができる。
【００３５】
なお、本実施の形態において、網戸４の網４３にはスチールメッシュ材のものを使用しているが、この網４３を破ったとしても縦桟４１と横桟４２とによる格子を形成しており、しかもクレセント５の係合状態をダイヤルキー６で固定することによって網戸４を開けることができないようにしているので、この網４３としては特にスチールメッシュ材のものに限定されるものではなく、通常の網戸４に使用されている樹脂製の網を使用してもよい。
【００３６】
また、本実施の形態では、網戸４のクレセント受け５２に隣接する格子の区画に強化ガラス４４を設けてクレセント５の開錠作業が困難になるように構成されているが、この強化ガラス４４を設ける格子の区画割りとしては特に限定されるものではなく、網戸４の通風機能を損なわない範囲で適宜に決定することができる。また、この強化ガラス４４は、単にクレセント５の開錠作業を網４３の場合よりも困難にするだけのもので、仮に強化ガラス４４が割られたとしても、クレセント５の係合状態をダイヤルキー６で固定することによって網戸４を開けることができないようにしているので、この強化ガラス４４の部分は、他の部分と同様に網４３であってもよい。
【００３７】
さらに、本実施の形態において、網戸付サッシ１のダイヤルキー６は、一つのダイヤルを左右に回転させて複数の数字を合わせるように構成されているが、複数のダイヤルキーが設けられて同時に数字を合わせて開錠できるようになされたダイヤルキーであってもよい。また、数字ではなくアルファベットを合わせるものであってもよい。
【００３８】
さらに、本実施の形態において、網戸付サッシ１は、クレセント５の持ち手５ｃが係合後に取り外せるようになされたものであってもよい。この場合、仮にダイヤルキー６の番号知っていたとしても、クレセント５を回動させることができないので、クレセント５とクレセント受け５２との係合状態を解除することができないこととなり、より優れた防犯性を得ることができる。
【００３９】
さらに、本実施の形態において、網戸付サッシ１は、それぞれ一枚の内戸２と外戸３と網戸４とによって構成されているが、それぞれが複数枚の内戸２と外戸３と網戸４とによって構成された網戸付サッシ１であってもよい。また、それぞれの枚数が異なる網戸付サッシ１、例えば、一枚の内戸２の両側にそれぞれ外戸３，３が設けられ、これら外戸３，３に対応する網戸４，４を設けて構成された網戸付サッシ１であってもよい。
【産業上の利用可能性】
【００４０】
本発明に係る網戸付サッシは、防犯性が要求される住宅建物の開口に使用される。
【図面の簡単な説明】
【００４１】
【図１】本発明に係る網戸付サッシの外戸を全開して網戸にした状態での内戸と網戸との全体構成の概略を示す正面図である。
【図２】網戸付サッシの内戸と外戸とを施錠した状態を示す断面図である。
【図３】網戸付サッシの内戸と網戸とを施錠した状態を示す断面図である。
【図４】（ａ）は網戸付サッシに用いられるクレセントを説明する平面図、（ｂ）は同クレセントの標準係合位置での状態を示す側面図、（ｃ）は同クレセントの拡径係合位置での状態を示す側面図である。
【符号の説明】
【００４２】
１  網戸付サッシ
２  内戸
２０ａ  縦框
３  外戸
３０ａ  縦框
４  網戸
４０ａ  縦框
４３  強化ガラス
４４  網
５  クレセント
５ｂ  係合片
５ｃ  持ち手
５１  クレセント受け
５２  クレセント受け
６  ダイヤルキー
【図１】
2010053646.tif 000003
【図２】
2010053646.tif 000004
【図３】
2010053646.tif 000005
【図４】
2010053646.tif 000006